【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
情報機器と通信可能な画像読取装置であって、
原稿を読み取って当該原稿の画像データを生成する読み取り手段と、
情報機器と通信を行うための通信手段と、
前記画像データに対して行う処理を示すプロファイルを、前記情報機器から取得する取得手段と、
前記取得手段で取得した前記プロファイルを前記画像読取装置の表示用に再分類し、当該プロファイルを前記画像読取装置で表示する項目に変換して、前記項目を前記画像読取装置の表示部に表示させる表示制御手段と、
前記表示制御手段により前記表示部に表示された前記項目に基づいて選択されたプロファイルの情報を前記情報機器に送信する送信手段と、
前記情報機器から送信される原稿読み取り指示に応じて、前記読み取り手段により生成した前記画像データを前記情報機器に送信する画像送信手段と、
を有することを特徴とする画像読取装置。
【請求項２】
前記取得手段によって取得されるプロファイルは、前記情報機器で生成され、複数存在することを特徴とする請求項１に記載の画像読取装置。
【請求項３】
前記表示制御手段により表示される前記項目は、前記情報機器で表示される前記プロファイルの項目とは異なることを特徴とする請求項１又は２に記載の画像読取装置。
【請求項４】
前記取得手段によって取得されるプロファイルは、画像データに対して行う処理の設定値とプロファイル名とを含むことを特徴とする請求項１乃至３のいずれか１項に記載の画像読取装置。
【請求項５】
前記表示制御手段により表示される前記項目は、前記プロファイルに対応するアイコンであることを特徴とする請求項１に記載の画像読取装置。
【請求項６】
情報機器と通信可能な画像読取装置の制御方法であって、
読み取り手段が、原稿を読み取って当該原稿の画像データを生成する読み取り工程と、
取得手段が、前記画像データに対して行う処理を示すプロファイルを前記情報機器から取得する取得工程と、
表示制御手段が、前記取得工程で取得した前記プロファイルを前記画像読取装置の表示用に再分類し、当該プロファイルを前記画像読取装置で表示する項目に変換して、前記項目を前記画像読取装置の表示部に表示させる表示制御工程と、
送信手段が、前記表示制御工程で前記表示部に表示された前記項目に基づいて選択されたプロファイルの情報を前記情報機器に送信する送信工程と、
画像送信手段が、前記情報機器から送信される原稿読み取り指示に応じて、前記読み取り手段により生成した前記画像データを前記情報機器に送信する画像送信工程と、
を有することを特徴とする画像読取装置の制御方法。
【請求項７】
コンピュータを、
情報機器と通信可能な画像読取装置であって、
原稿を読み取って当該原稿の画像データを生成する読み取り手段と、
情報機器と通信を行うための通信手段と、
前記画像データに対して行う処理を示すプロファイルを、前記情報機器から取得する取得手段と、
前記取得手段で取得した前記プロファイルを前記画像読取装置の表示用に再分類し、当該プロファイルを前記画像読取装置で表示する項目に変換して、前記項目を前記画像読取装置の表示部に表示させる表示制御手段と、
前記表示制御手段により前記表示部に表示された前記項目に基づいて選択されたプロファイルの情報を前記情報機器に送信する送信手段と、
前記情報機器から送信される原稿読み取り指示に応じて、前記読み取り手段により生成した前記画像データを前記情報機器に送信する画像送信手段とを有する画像読取装置として機能させるためのプログラム。
【手続補正２】
【補正対象書類名】明細書
【補正対象項目名】０００８
【補正方法】変更
【補正の内容】
【０００８】
本発明の目的は、情報機器が設定できるプロファイルを画像読取装置で確認できるようにすることにより、情報機器と画像読取装置との間での設定項目の確認処理を容易にすることにある。
【手続補正３】
【補正対象書類名】明細書
【補正対象項目名】０００９
【補正方法】変更
【補正の内容】
【０００９】
上記目的を達成するために本発明の一態様に係る画像読取装置は以下のような構成を備える。即ち、
情報機器と通信可能な画像読取装置であって、
原稿を読み取って当該原稿の画像データを生成する読み取り手段と、
情報機器と通信を行うための通信手段と、
前記画像データに対して行う処理を示すプロファイルを、前記情報機器から取得する取得手段と、
前記取得手段で取得した前記プロファイルを前記画像読取装置の表示用に再分類し、当該プロファイルを前記画像読取装置で表示する項目に変換して、前記項目を前記画像読取装置の表示部に表示させる表示制御手段と、
前記表示制御手段により前記表示部に表示された前記項目に基づいて選択されたプロファイルの情報を前記情報機器に送信する送信手段と、
前記情報機器から送信される原稿読み取り指示に応じて、前記読み取り手段により生成した前記画像データを前記情報機器に送信する画像送信手段と、を有することを特徴とする。
【手続補正４】
【補正対象書類名】明細書
【補正対象項目名】００１０
【補正方法】変更
【補正の内容】
【００１０】
本発明によれば、情報機器が有するプロファイルを、画像読取装置用の項目として表示し、その表示された項目に従ってユーザが画像データの形式等の設定項目を画像読取装置で指定できる。
【手続補正５】
【補正対象書類名】明細書
【補正対象項目名】００１８
【補正方法】変更
【補正の内容】
【００１８】
スキャナ画像処理部２０は、スキャナＩ／Ｆ部１０の処理によりメインメモリ１００に記憶された画像データに対して、画像処理動作モード（カラーコピー、モノクロコピー、カラースキャン、モノクロスキャン等）に応じた画像処理を実行する。バッファ調停部７７は、スキャナＩ／Ｆ１０とスキャナ画像処理部２０との間のデータの受け渡しをメインメモリ１００上のリングバッファ領域を介して行う場合、データの書き込みと読み出しを調停する。プリンタ画像処理部３０は、入力した画像データの編集や解像度変換を行い、得られた画像データをプリンタ部４５に出力する。プリンタインターフェース（Ｉ／Ｆ）４０は、プリンタ画像処理部３０で処理された画像データを、レーザビームプリンタなどのプリンタ部４５に出力する。バッファ調停部７８は、プリンタ画像処理部３０とプリンタインターフェース４０との間のデータの受け渡しをメインメモリ１００のリングバッファ領域を介して行う場合、データの書き込みと読み出しとを調停する。バッファ調停部７７，７８の基本構成は同一であるが、使用する用途により制御方法が異なる。ＪＰＥＧモジュール５０、ＪＢＩＧモジュール６０は、それぞれＪＰＥＧ，ＪＢＩＧの規格に準拠した画像データの圧縮、伸張処理を実行する。
【手続補正６】
【補正対象書類名】明細書
【補正対象項目名】００３２
【補正方法】変更
【補正の内容】
【００３２】
図４は、読み取り設定を行うためのＰＣ１０３のＵＩ画面例を示す図である。この画面は、ドライバ画面上の「設定」キー３０５（図３）が押下されることによりＰＣ１０３の表示部に表示される。４０１〜４０４は、図３のボタン３０１〜３０４に対応するプロファイルを選択するためのボタンである。図４では、ボタン４０１が押されて「スキャン１」として設定されているプロファイルが表示された状態を示す。このようにボタン４０１〜４０４のいずれかが押されると、そのボタンに対応するプロファイルの設定値が４０５〜４１１で示す各フィールドに表示される。尚、これらは設定値は、以前にユーザが入力した設定値か、或いはデフォルトの設定値であり、ユーザはこれらの設定値を所望の値に変更することができる。例えば、４０５ではプロファイル名（「スキャン１」）を他の名称に変更できる。後ほど説明するが、ここでプロファイル名を変更すると、その変更したプロファイル名が複合機１０１の表示部１３５に表示される画面にも反映される。また４０６では、読み取り時の原稿の種類を選択できる。本実施形態では、選択肢として白黒、白黒（ＯＣＲ）、グレースケール、カラー、カラー（雑誌、カタログ）が存在するものとする。図４では、カラー原稿の読み取りを指示する「カラー」が選択されて設定されている。４０７では、ＪＰＥＧ，ＴＩＦＦ，ＰＤＦ，ＢＭＰなど保存する際のファイルの形式を指定する。図４では、ＪＰＥＧファイル形式を示す「ＪＰＥＧ」が設定されている。４０８ではスキャンを行う原稿のサイズを指定できる。図４では、Ａ４サイズの原稿を示す「Ａ４」が設定されている。４０９では、スキャンを行う画像の解像度を指定できる。図４では、３００ｄｐｉを指示する「３００ｄｐｉ」が設定されている。４１０では、画像を保存する場所（パス）を指定できる。４１１では、保存するファイルの名称（ここでは「FileA」）を指定できる。
【手続補正７】
【補正対象書類名】明細書
【補正対象項目名】００４５
【補正方法】変更
【補正の内容】
【００４５】
そしてＳ１０で、ＣＰＵ１８０は操作部１５０のスタートキーが押されたかどうかを判定し、スタートキーが押されるとＳ１１に進む。Ｓ１１で、ＣＰＵ１８０は、自機にPull Scanを行わせるように、Ｓ７で選択されたＰＣ（「Host1」、即ち、ＰＣ１０３とする）に送信依頼要求を発行する。その際に、ＰＣ１０３上のドライバが持つどのプロファイルでPull Scanを行うかの情報も送信する。そしてＳ１２で、ＣＰＵ１８０は、ＰＣ１０３から発行されるPull Scan指示（画像送信要求）を受信するのを待つ。このPull Scan指示を受信するとＳ１３に進み、ＣＰＵ１８０はリーダ部１３を制御して原稿をスキャンし、その原稿の画像データを得る（図５の５１６）。そしてＳ１４でＣＰＵ１８０は、図５の５２４で示すように、ＰＣ１０３にその画像データを送信する。
【手続補正８】
【補正対象書類名】明細書
【補正対象項目名】００５４
【補正方法】変更
【補正の内容】
【００５４】
以上説明したように本実施形態によれば、ＭＦＰのＵＩでプロファイルを選択する時に、プロファイル名と共にプロファイルの設定内容も表示される。このため、ユーザが出力画像の形式をデバイスの前で確認することができ、ＰＣに戻って初めてスキャン結果の間違いに気付くことが防止され、利便性が高まる。